(57)【特許請求の範囲】
【請求項１】
電力系統の応動を模擬し複数制御所の電力系統運用者の電力系統運用訓練を単独または同時に行う電力系統運用訓練シミュレータであり、訓練トレーナまたは任意数の訓練トレーニが使用する操作クライアントと、電力系統を模擬するための電力系統運用訓練サーバとを有し、前記電力系統運用訓練サーバは、前記操作クライアントからの指令を入力処理する入出力処理手段と、自制御所の設備データベースを送信する設備ダウンラインローディング送信手段と、他制御所の設備データベースを受信する設備ダウンラインローディング受信手段と、全系の設備データベースを編集する全系設備データベース編集手段と、前記入出力処理手段から訓練トレーナが設定した事故を設定するとともに訓練の開始終了時刻及びトレーナ・トレーニの参加情報を設定する訓練管理手段と、自制御所または他制御所管轄内の開閉器状態を基に電力系統内設備の各種電気量を算出し電力系統状態ファイルに設定するとともに訓練トレーナが設定した事故を発生させ各種リレーの応動を模擬する電力系統模擬手段と、自制御所の事故設定情報を情報伝送ネットワークへ送信する訓練情報送信手段と、他制御所の事故設定情報を情報伝送ネットワークから受信する訓練情報受信手段と、自制御所の同時訓練管理情報を情報伝送ネットワークへ送信する同時訓練情報送信手段と、他制御所の同時訓練管理情報を情報伝送ネットワークから受信する同時訓練情報受信手段と、自制御所で算出した全系の電力系統状態を情報伝送ネットワークへ送信する電力系統状態送信手段と、他制御所で算出した全系の電力系統状態を情報伝送ネットワークから受信する電力系統状態受信手段とからなり、複数の制御所の設備データベースをオンラインでダウンラインローディングした後に全系設備データベースを編集し、全系の電力系統状態模擬に対して全系を対象として事故条件を共有し、複数の全制御所でリアルタイムに実系統における実事故と同等の影響を全系で同時に模擬する電力系統運用訓練シミュレータにおいて、前記制御所の操作クライアントに設けられ他の制御所の電力系統運用訓練サーバに接続するためのクライアントリモート接続手段と、前記制御所の電力系統運用訓練サーバに設けられ前記クライアントリモート接続手段からの接続要求を情報伝送ネットワークを介して受信したときはその操作クライアントを自己の制御所の電力系統運用訓練サーバに接続する仮想クライアント接続手段とを備えたことを特徴とする電力系統運用訓練シミュレータ。
【請求項２】
前記制御所の電力系統運用訓練サーバに設けられトレーニの同時訓練への入室・退室とトレーナのホスト役情報とを変更するトレーナ・トレーニ入退室管理手段と、前記制御所の電力系統運用訓練サーバに設けられトレーナ参加予定の情報を読み込み、引継ぎ発生時刻であるかを確認する同時訓練ホストサーバ引継ぎ手段とを備え、訓練中に最低１人のトレーナがホスト役を引継ぎ、トレーニが自由に入室・退室することを可能としたことを特徴とする請求項１に記載の電力系統運用訓練シミュレータ。
【発明の詳細な説明】
【技術分野】
【０００１】
本発明は、電力系統の応動を模擬し、電力系統の監視・操作・制御をするシステム運用者に対して系統運用の訓練を行う電力系統運用訓練シミュレータに関する。
【背景技術】
【０００２】
系統運用の訓練は、主として、各制御所システムにて併設される訓練用シミュレータや電力系統監視制御システムに組み込まれる簡易な訓練機能を用いて、制御所内で訓練を実施している。制御所間の連係部分についても、電話連絡等により簡易な情報の交換をするなどして行っている。また、同時訓練用のシミュレータを各制御所と接続して、簡易に同時訓練を行う場合もあった。    
図９は、従来の電力系統運用訓練シミュレータの一例を示す構成図であり、各制御所システムにて組み込まれる簡易な訓練機能を用いた例を示している。図９では３つの制御所１、１０１、２０１が情報伝送ネットワーク４で接続されている場合を示している。制御所１、１０１、２０１には、操作クライアント３−１〜３−ｎ、１０３−１〜１０３−ｎ、２０３−１〜２０３−ｎと電力系統運用訓練サーバ２、１０２、２０２とを有している。また、電力系統運用訓練サーバ２、１０２、２０２は、入出力処理手段５４、１５４、２５４、訓練管理手段５５、１５５、２５５、同時訓練管理手段５６、１５６、２５６、電力系統模擬手段６１、１６１、２６１、訓練管理情報ファイル２４、１２４、２２４、電力系統状態ファイル２３、１２３、２２３、事故設定ファイル２５、１２５、２２５、設備データベース２１、１２１、２２１、同時訓練通知情報ファイル３１、１３１、２３１、同時訓練情報受信手段５９、１５９、２５９、同時訓練情報送信手段６０、１６０、２６０、隣接ＳＶ・ＴＭデータ受信手段９１、１９１、２９１、隣接ＳＶ・ＴＭデータ送信手段９２、１９２、２９２から構成されている。
【０００３】
この電力系統運用訓練シミュレータでは、同時訓練情報送信手段６０、１６０、２６０により同時訓練通知情報ファイル３１、１３１、２３１の自制御所の同時訓練実施状態を示す情報を情報伝送ネットワーク４を介して他制御所へ送信し、かつ、他制御所の同時訓練実施状態を示す情報を情報伝送ネットワーク４を介して同時訓練情報受信手段５９、１５９、２５９により受信し、自制御所の同時訓練通知情報ファイル３１、１３１、２３１へ書き込み、他制御所の同時訓練の実施状態が分かるようにしている。また、他制御所との隣接する電力系統の２値情報（以下ＳＶと示す）、数値情報（以下ＴＭと示す）については、隣接ＳＶ・ＴＭデータ送信手段９２、１９２、２９２と隣接ＳＶ・ＴＭデータ受信手段９１、１９１、２９１とにより各管轄装置の情報をやりとりするか、または電話等の連絡により自制御所のトレーナ（訓練指導者）が電力系統状態ファイルを更新するなどして、簡易な同時訓練を実施していた。
【０００４】
図１０は、従来の電力系統運用訓練シミュレータの他の一例を示す構成図であり、同時訓練用のシミュレータを各制御所と接続する形態の簡易な同時訓練の例を示している。
【０００５】
電力系統運用訓練シミュレータは、Ａ制御所１へ併設される電力系統運用訓練サーバ２は、入出力処理手段５４、訓練管理手段５５、同時訓練管理手段５６、電力系統模擬手段６１、訓練管理情報ファイル２４、電力系統状態ファイル２３、事故設定ファイル２５、設備データベース（同時訓練用）３２、リモート接続手段７３からなる。Ｂ制御所１０１へ併設される電力系統運用訓練サーバ１０２は、入出力処理手段１５４とリモート接続手段１７３とからなり、Ｃ制御所２０１へ併設される電力系統運用訓練サーバ２０２は、入出力処理手段２５４とリモート接続手段２７３とからなる。
【０００６】
電力系統運用訓練サーバ２は同時訓練に使用することができるように構成されている。同時訓練には設備データベース（同時訓練用）３２を使用する。リモート接続手段７３、１７３、２７３により、各制御所１、１０１、２０１から情報伝送ネットワーク４を介して、電力系統運用訓練サーバ２に接続し、簡易な同時訓練を実施していた。
【０００７】
このように、従来のものでは、各制御所システムに併設される電力系統運用訓練シミュレータや電力系統監視制御システムに組み込まれる簡易な訓練機能を用いて、制御所内においてトレーナと複数のトレーニ（訓練を受ける者）とによる制御所システム管轄内での訓練を主に実施しており、隣接する制御所の連係部分に関する訓練においても、電力系統が連係する一部のＳＶ及びＴＭデータに対して電話連絡やネットワーク網を介してデータを個別に授受し、隣接する制御所のトレーニの代行をトレーナが実施することで訓練を行っていた。また、各制御所にて自所管轄の設備データベースをデータメンテナンスしたものを使用して電力系統状態の模擬を行うか、専用のサーバに同時訓練用の設備データベースを作成していた。
【０００８】
ここで、電力系統の応動に対して運転訓練するものとして、複数の箇所で同時に運転訓練が行えるようにしたものがある（例えば、特許文献１、２参照）。
【特許文献１】特開平９−１７１３４５号公報
【特許文献２】特開２０００−１２２５１９号公報
【発明の開示】
【発明が解決しようとする課題】
【０００９】
しかしながら、従来のものでは情報伝送ネットワークにて連係される複数の制御所のトレーナが予め設定した複数の事故に対して対象となる全制御の系統状態を模擬し、トレーニは他制御所との同時訓練であることも意識することのない実運用により近い状態にて、実系統と同等な複数の事故を発生させた系統状態の模擬を行ったり、全系に波及するような事故等を起こすような訓練をすることができなかった。また、同時訓練では参加制御所のトレーナやトレーニが予め申し合わせて合同訓練に参加しており、同時訓練の予定に対して予定の一部を容易に変更するこができず、また同時訓練用の設備データベースのメンテナンス実施状況の制約も含めると、同時訓練の実施効率に影響するいろいろな制約が存在していた。
【００１０】
また、特許文献１のものでは、各箇所で定義されている設備データベース及び訓練模擬データが同一ものであり、かつ各所にてメンテナンスされており、各所とも同内容の系統模擬動作をするのみである。特許文献２のものでは、各箇所で定義されている設備データベース及び訓練模擬データが各箇所毎のものであり、かつ各所にてメンテナンスされており、各所の系統模擬動作を管轄系統の接点となるＳＶ・ＴＭ情報で連係するのみである。
【００１１】
本発明の目的は、複数の制御所でリアルタイムに実系統における実事故と同等の影響を全系で同時に模擬し同時訓練ができ、訓練中に最低１人のトレーナがホスト役を引継ぎ、トレーニが自由に入退室することができる電力系統運用訓練シミュレータを提供することである。
【課題を解決するための手段】
【００１２】
本発明の電力系統運用訓練シミュレータは、電力系統の応動を模擬し複数制御所の電力系統運用者の電力系統運用訓練を単独または同時に行う電力系統運用訓練シミュレータであり、訓練トレーナまたは任意数の訓練トレーニが使用する操作クライアントと、電力系統を模擬するための電力系統運用訓練サーバとを有し、前記電力系統運用訓練サーバは、前記操作クライアントからの指令を入力処理する入出力処理手段と、自制御所の設備データベースを送信する設備ダウンラインローディング送信手段と、他制御所の設備データベースを受信する設備ダウンラインローディング受信手段と、全系の設備データベースを編集する全系設備データベース編集手段と、前記入出力処理手段から訓練トレーナが設定した事故を設定するとともに訓練の開始終了時刻及びトレーナ・トレーニの参加情報を設定する訓練管理手段と、自制御所または他制御所管轄内の開閉器状態を基に電力系統内設備の各種電気量を算出し電力系統状態ファイルに設定するとともに訓練トレーナが設定した事故を発生させ各種リレーの応動を模擬する電力系統模擬手段と、自制御所の事故設定情報を情報伝送ネットワークへ送信する訓練情報送信手段と、他制御所の事故設定情報を情報伝送ネットワークから受信する訓練情報受信手段と、自制御所の同時訓練管理情報を情報伝送ネットワークへ送信する同時訓練情報送信手段と、他制御所の同時訓練管理情報を情報伝送ネットワークから受信する同時訓練情報受信手段と、自制御所で算出した全系の電力系統状態を情報伝送ネットワークへ送信する電力系統状態送信手段と、他制御所で算出した全系の電力系統状態を情報伝送ネットワークから受信する電力系統状態受信手段とからなり、複数の制御所の設備データベースをオンラインでダウンラインローディングした後に全系設備データベースを編集し、全系の電力系統状態模擬に対して全系を対象として事故条件を共有し、複数の全制御所でリアルタイムに実系統における実事故と同等の影響を全系で同時に模擬する電力系統運用訓練シミュレータにおいて、前記制御所の操作クライアントに設けられ他の制御所の電力系統運用訓練サーバに接続するためのクライアントリモート接続手段と、前記制御所の電力系統運用訓練サーバに設けられ前記クライアントリモート接続手段からの接続要求を情報伝送ネットワークを介して受信したときはその操作クライアントを自己の制御所の電力系統運用訓練サーバに接続する仮想クライアント接続手段とを備えたことを特徴とする。
【発明の効果】
【００１３】
本発明によれば、複数の制御所でリアルタイムに実系統における実事故と同等の影響を全系で同時に模擬し同時訓練ができ、訓練中に最低１人のトレーナがホスト役を引継ぎ、トレーニが自由に入退室することができる。
【発明を実施するための最良の形態】
【００１４】
（第１の実施の形態）
図１は本発明の第１の実施の形態に係わる電力系統運用訓練シミュレータの構成図である。この第１の実施の形態に係わる電力系統運用訓練シミュレータは、Ａ制御所１にホスト制御所として同時訓練のトレーナがおり、Ａ制御所１が全系の電力系統模擬を実施するホスト制御所となり、Ａ制御所１、Ｂ制御所１０１、Ｃ制御所２０１の３制御所が同時訓練に参加する場合を示している。
【００１５】
図１では、３つの制御所１、１０１、２０１が情報伝送ネットワーク４で接続されている場合を示している。制御所１、１０１、２０１には、操作クライアント３−１〜３−ｎ、１０３−１〜１０３−ｎ、２０３−１〜２０３−ｎと電力系統運用訓練サーバ２、１０２、２０２とを有している。
【００１６】
電力系統運用訓練サーバ２、１０２、２０２は、入出力処理手段５４、１５４、２５４、訓練管理手段５５、１５５、２５５、同時訓練管理手段５６、１５６、２５６、電力系統模擬手段６１、１６１、２６１、訓練管理情報ファイル２４、１２４、２２４、電力系統状態ファイル２３、１２３、２２３、事故設定ファイル２５、１２５、２２５、同時訓練管理情報ファイル２６、１２６、２２６、
同時訓練情報受信手段５９、１５９、２５９、同時訓練情報送信手段６０、１６０、２６０、全系設備データベース２２、１２２、２２２、全系設備データベース編集手段５３、１５３、２５３、設備データベース２１−１〜２１−３、１２１−１〜１２１−３、２２１−１〜２２１−３、設備ダウンラインローディング受信手段（以下、設備ＤＬＬ受信手段という）５１、１５１、２５１、設備ダウンラインローディング送信手段（以下、設備ＤＬＬ送信手段という）５２、１５２、２５２、訓練情報受信手段５７、１５７、２５７、訓練情報送信手段５８、１５８、２５８、電力系統状態受信手段６２、１６２、２６２、電力系統状態送信手段６３、１６３、２６３から構成されている。
【００１７】
まず、Ａ制御所１、Ｂ制御所１０１、Ｃ制御所２０１の設備データベース２１−１〜２１−３、１２１−１〜１２１−３、２２１−１〜２２１−３から全系設備データベース５３、１５３、２５３を編集するまでの動作を説明する。
【００１８】
Ｂ制御所１０１の設備ＤＬＬ送信手段１５２は、Ｂ制御所１０１の設備データベース１２１−１を情報伝送ネットワーク４を介してＡ制御所１に送信する。同様に、Ｃ制御所２０１の設備ＤＬＬ送信手段２５２は、Ｃ制御所２０１の設備データベース２２１−１を情報伝送ネットワーク４を介してＡ制御所１に送信する。Ａ制御所１では、Ａ制御所１の設備ＤＬＬ受信手段５１でＢ制御所１０１の設備データベース１２１−１及びＣ制御所２０１の設備データベース２２１−１を受信し、Ａ制御所１の設備データベース２１−２及び設備データベース２１−３にそれぞれ書き込む。
【００１９】
そして、Ａ制御所１の全系設備データベース編集手段５３は、Ａ制御所１、Ｂ制御所１０１、Ｃ制御所２０１の設備データベース２１−１、２１−２、２１−３を読み込み、Ａ制御所１、Ｂ制御所１０１、Ｃ制御所２０１に所属する全ての設備データベース２１−１、２１−２、２１−３が重複定義を解消して唯一の定義となるように設備データベース２１−１、２１−２、２１−３を編集し、Ａ制御所１の全系設備データベース２２へ書き込む。
【００２０】
次に、Ａ制御所１にて同時訓練を開始するまでの事前準備の動作を説明する。いま、Ａ制御所１の操作クライアント３−１はトレーナが使用し、操作クライアント３−２〜３−ｎはトレーニが使用するものとする。
【００２１】
トレーナは、Ａ制御所１の操作クライアント３−１から入出力処理手段５４を介して、Ａ制御所１の訓練管理情報とホスト制御所の情報とを設定するために訓練管理手段５５を起動する。これにより、訓練管理手段５５は訓練の開始終了時刻や参加トレーナ及びトレーニの情報を訓練管理情報ファイル２４へ保存する。
【００２２】
図２は訓練管理情報ファイル２４のファイル構成図である。訓練管理情報ファイル２４には、訓練開始終了管理情報、参加トレーナ情報、参加トレーニ情報からなる。訓練開始終了管理情報は訓練開始時刻や訓練終了時刻であり、参加トレーナ情報は参加トレーナ操作クライアントや参加トレーナ連絡先アドレスであり、参加トレーニ情報は参加トレーニ操作クライアントや参加トレーニ連絡先アドレスである。
【００２３】
また、訓練管理手段５５はＡ制御所１の管内の事故情報を事故設定ファイル２５へ保存する。また訓練管理手段５５は同時訓練管理手段５６を起動する。同時訓練管理手段５６は同時訓練への参加情報とＡ制御所１がホスト制御所となる情報を訓練管理情報ファイル２４から読み込み、同時訓練管理情報ファイル２６へ書き込む。
【００２４】
図３は同時訓練管理情報ファイル２６のファイル構成図である。同時訓練管理情報ファイル２６は、同時訓練開始終了管理情報、ホスト制御所情報、参加トレーナ情報、参加トレーニ情報からなる。同時訓練開始終了管理情報は同時訓練開始時刻や同時訓練終了時刻であり、ホスト制御所情報はホスト制御所であり、参加トレーナ情報は参加トレーナ操作クライアントや参加トレーナ連絡先アドレスであり、参加トレーニ情報は参加トレーニ操作クライアント、参加トレーニ連絡先アドレスや参加トレーニ制御所である。
【００２５】
同時訓練情報送信手段６０は同時訓練管理情報ファイル２６の情報を情報伝送ネットワーク４を介して送信する。Ｂ制御所１０１及びＣ制御所２０１の電力系統運用訓練サーバ１０２、２０２の同時訓練情報受信手段１５９、２５９は同時訓練管理情報ファイル２６の情報を受信し、同時訓練管理情報ファイル１２６、２２６へ情報を書き込む。
【００２６】
一方、Ｂ制御所１０１やＣ制御所２０１では、Ｂ制御所１０１やＣ制御所２０１でのトレーナが使用する操作クライアント１０３−１、２０３−１、トレーニが使用が使用する操作クライアント１０３−２〜１０３−ｎ、２０３−２〜２０３−ｎから入出力手段１５４、２５４を介して訓練管理手段１５５、２５５を起動する。
【００２７】
訓練管理手段１５５、２５５は参加トレーニの情報を訓練管理情報ファイル１２４、２２４へ保存する。また訓練管理手段１５５、２５５は、Ｂ制御所やＣ制御所管内の事故情報を事故設定ファイル１２５、２２５へ保存する。そして、訓練情報送信手段１５８、２５８は、事故設定ファイル１２５、２２５の内容を情報伝送ネットワーク４を介してそれぞれ送信する。Ａ制御所１の訓練情報受信手段５７は、Ｂ制御所やＣ制御所管内からの事故情報を受信し、Ａ制御所１の事故設定ファイル２５へ内容を書き込む。
【００２８】
さらに、Ｂ制御所１０１やＣ制御所２０１の訓練管理手段１５５、２５５から起動された同時訓練管理手段１５６、２５６は、同時訓練へのＢ制御所１０１やＣ制御所２０１のトレーニの参加情報を訓練管理情報ファイル１２４、２２４から読み込み、同時訓練管理情報ファイル１２６、２２６へ書き込む。同時訓練情報送信手段１６０、２６０は同時訓練管理情報ファイル１２６、２２６の情報を情報伝送ネットワーク４を介してそれぞれ送信する。Ａ制御所１の同時訓練情報受信手段５９はＢ制御所１０１やＣ制御所２０１の同時訓練管理情報ファイル１２６、２２６の情報を受信し、同時訓練管理情報ファイル２６へ情報を書き込む。
【００２９】
次に、Ａ制御所１のトレーナにて同時訓練を開始してから同時訓練終了までの動作を説明する。Ａ制御所１では操作クライアント３−１、３−２、３−３を、Ｂ制御所１０１やＣ制御所２０１では操作クライアント１０３−２〜１０３−ｎ、２０３−２〜２０３−ｎを使用して同時訓練を実施する。操作クライアント３−１にてトレーナは入出力処理手段５４を介して訓練管理手段５５を起動し、訓練管理手段５５は訓練管理情報ファイル２４及び事故設定ファイル２５を読み込み、電力系統模擬手段６１を起動する。
【００３０】
電力系統模擬手段６１では全制御所（Ａ制御所１、Ｂ制御所１０１、Ｃ制御所２０１）から設定されている事故設定ファイル２５を読み込み、事故設定内容に従って電力系統状態ファイル２３に事故状態を設定し、電力系統の状態を再算出する。Ａ制御所１の電力系統状態ファイル２３で変化があった情報（ＳＶ、ＴＭ）は系統状態送信手段６３にて、情報伝送ネットワーク４を介してＢ制御所１０１やＣ制御所２０１に送信される。Ｂ制御所１０１やＣ制御所２０１では、Ａ制御所１の電力系統状態ファイル２３で変化があった情報（ＳＶ、ＴＭ）をＢ制御所１０１やＣ制御所２０１の系統情報受信手段１６２、２６２にて受信し、Ｂ制御所１０１やＣ制御所２０１の電力系統状態１２３、２２３に書き込む。
【００３１】
図４は、系統情報送信手段６３によって情報伝送ネットワーク４上へ同時訓練中に送信されるデータの伝送フォーマット例を示した構成図である。伝送フォーマットはヘッダ部とデータ部とからなり、ヘッダ部は、同時訓練実施時には通常の伝送時とは異なる同時訓練用であることを示す種別を伝送種別データとして伏す形式となっている。この伝送種別データには、伝送元・伝送先・形式・データ数などを示すヘッダ情報が格納される。つまり、制御所間で通常の運用形態で授受されるＳＶ、ＴＭ情報に同時訓練で使用することを示すフラグデータを付した形式となっている。
【００３２】
全系を模擬した電力系統状態ファイル２３から各制御所の電力系統状態を反映している電力系統状態ファイル２３、１２３、２２３は、各制御所の操作クライアント３−１〜３−ｎ、１０３−１〜１０３−ｎ、２０３−１〜２０３−ｎにて表示され、トレーニはあたかも実運用の系統から受取った状況を認識しながら同時訓練を進めることができる。全制御所（Ａ制御所１、Ｂ制御所１０１、Ｃ制御所２０１）では同時訓練管理情報ファイル２６、１２６、２２６で管理されている同時進行訓練の終了時間を同時訓練管理手段５６、１５６、２５６が読み込み、時間が来た段階で訓練管理手段５５、１５５、２５５へ同時訓練終了を通知する。
【００３３】
従って、第１の実施の形態によれば、複数の制御所が情報伝送ネットワークで連係されている構成において、同時訓練を実施する段階の全制御所の最新設備データベースを制御所相互にオンラインで設備ＤＬＬを実施し、最新の全系設備データベースを編集することができる。これにより訓練用の設備データベースをオンライン系用とは別に準備したり、最新のオンライン系用設備データベースと断面が異なるといった最新の設備データベースの状態と乖離のある状態で同時訓練を実施せざるを得ない制約を解消することができる。
【００３４】
さらに、最新の設備データベースの状態で電力系統状態を算出することができ、複数の制御所で設定した事故設定ファイルを参照しながら、複数制御所内全域の系統運用状態を模擬することができる。これにより、各制御所の隣接点付近で発生した事故の同時訓練において、これまで隣接制御所の運用者の対応をトレーナが模擬代行していたのに対して、各制御所のトレーニ同士が復旧作業を協調して実施する同時訓練だけでなく、全制御所の全域が影響範囲となるような台風による自然災害などを想定して全域同時の訓練をリアルタイムかつほぼ実系統のリアルな事故模擬にて再現することができ、より実事故時の運用者の対応に役立ち、訓練の効果を向上することができる。
【００３５】
（第２の実施の形態）
図５は本発明の第２の実施の形態を示す電力系統運用訓練シミュレータの構成図である。この第２の実施の形態は、図１に示した第１の実施の形態に対し、Ａ制御所１、Ｂ制御所１０１、Ｃ制御所２０１に仮想クライアント接続手段７１、１７１、２７１を付加し、Ａ制御所１の操作クライアント３−ｎにクライアントリモート接続手段７２を設け、Ｂ制御所１０１の操作クライアント１０３−ｎにクライアントリモート接続手段１７２を設け、Ｃ制御所２０１の操作クライアント２０３−ｎにクライアントリモート接続手段２７２を設け、さらにＤ事務所３０１の操作クライアント３０３−２にクライアントリモート接続手段３７２を設けたものである。操作クライアント３−ｎ、１０３−ｎ、２０３−ｎ、３０３−２は、操作クライアントＨＭＩ装置５−ｎ、１０５−ｎ、２０５−ｎ、３０５−２及びクライアントリモート接続手段７２、１７２、２７２、３７２から構成されている。
【００３６】
Ｂ制御所１０１の操作クライアント１０３−ｎはＢ制御所１０１のトレーニとして同時訓練に参加し、Ｄ事務所３０１の操作クライアント３０３−２はＡ制御所１のトレーニとして同時訓練に参加した場合について説明する。なお、図５において、図１と同一部分には同一符号を付し重複する説明は省略する。
【００３７】
この第２の実施の形態は、Ｂ制御所１０１において自己の電力系統運用訓練サーバ１０２を使用せず、またＤ事務所３０１においては、電力系統運用訓練サーバは存在しない構成である。同時訓練のトレーナまたはトレーニはＢ制御所１０１の操作クライアント１０３−ｎ及びＤ事務所３０１の操作クライアント３０３−２において、クライアントリモート接続手段１７２、３７２を起動し、情報伝送ネットワーク４を介してＡ制御所１の仮想クライアント接続手段７１を起動する。
【００３８】
仮想クライアント接続手段７１は操作クライアント１０３−ｎ、３０３−２をＡ制御所１の入出力手段５４へ接続する。Ｂ制御所１０１の操作クライアント１０３−ｎはＢ制御所のトレーナまたはトレーニとして参加するため入出力手段５４を起動し訓練管理手段５５を起動する。操作クライアント１０３−ｎはＡ制御所１の電力系統運用訓練サーバ２にて仮想クライアントとして接続されているため、運用の訓練において必要とする電力系統監視画面や制御用画面を予めダウンラインローディング（ＤＬＬ）されているＡ制御所１の設備データベース２１−２を参照することで同時訓練に参加する。
【００３９】
Ｄ事務所３０１の操作クライアント３０３−２はＡ制御所１のトレーニとして参加するため入出力手段５４を起動し、訓練管理手段５５を起動する。操作クライアント３０３−２はＡ制御所１の電力系統運用訓練サーバ２にて仮想クライアントとして接続されているため、運用の訓練において必要とするＡ制御所の電力系統監視画面や制御用画面を参照することで同時訓練に参加する。
【００４０】
従って、第２の実施の形態によれば、電力系統運用訓練サーバを持たない任意箇所の操作クライアントが情報伝送ネットワークで連係されている構成において、全系設備データベース、個々の制御所のデータベースを使用する電力系統運用訓練サーバにてダウンラインローディング受信して所有しておくことで、任意の電力系統運用訓練サーバに所属して同時訓練を受けることができる。これにより、同時訓練に参加するトレーニが同時訓練参加時間に他制御所や操作クライアントが存在する事務所のいずれかに在席することで参加をすることができるため、訓練操作クライアントの資源の制限や参加のための移動ロスの制限について解消することができ、同時訓練の効果を向上することができる。
【００４１】
（第３の実施の形態）
図６は本発明の第３の実施の形態を示す電力系統運用訓練シミュレータの構成図である。この第３の実施の形態は、図５に示した第２の実施の形態に対し、Ａ制御所１、Ｂ制御所１０１、Ｃ制御所２０１にトレーナ・トレーニ入退室管理手段８１、１８１、２８１を付加し、Ａ制御所１、Ｂ制御所１０１、Ｃ制御所２０１に同時訓練ホストサーバ引継ぎ手段８２、１８２、２８２を付加したものである。なお、図６において、図５と同一部分には同一符号を付し重複する説明は省略する。
【００４２】
いま、Ａ制御所１の任意のトレーニが退室しＣ制御所２０１の任意のトレーニが入室する場合を例にとり説明する。Ａ制御所１において操作クライアント３−ｎにてトレーニが同時訓練を退室するときには、入出力処理手段５４からトレーナ・トレーニ入退室管理手段８１を起動する。トレーナ・トレーニ入退室管理手段８１は入出力処理手段５４を経て訓練管理手段５５を起動し、訓練管理情報ファイル２４から操作クライアント３−ｎのトレーニの参加情報を退室とする。また訓練管理手段５５は同時訓練管理手段５６を起動し、訓練管理情報ファイル２４のトレーニ情報を同時訓練管理情報ファイル２６へ書き込む。
【００４３】
図７は第３の実施の形態における同時訓練管理情報ファイル２６のファイル構成図である。図７に示すように、図３に示した同時訓練管理情報ファイルに対し、トレーナ参加予定情報が追加されている。すなわち、各制御所のホスト制御所情報と各制御所のトレーナの情報を全て指定する形式となっており、ホストサーバの引継ぎのためホスト制御所情報を使用する。
【００４４】
続いて、Ｃ制御所２０１において操作クライアント２０３−ｎにてトレーニが同時訓練に参加するため、入出力処理手段２５４からトレーナ・トレーニ入退室管理手段２８１を起動する。トレーナ・トレーニ入退室管理手段２８１は訓練管理手段２５５を起動し、訓練管理情報ファイル２２４から操作クライアント２０３−３のトレーニの参加情報を入室とする。また訓練管理手段２５５は同時訓練管理手段２５６を起動し、訓練管理情報ファイル２２４のトレーニ情報を同時訓練管理情報ファイル２２６へ書き込む。さらにトレーナ・トレーニ入退室管理手段２８１は同時訓練情報送信手段２６０を起動し、操作クライアント２０３−ｎのトレーニの参加情報を情報伝送ネットワーク４を介してＡ制御所１の同時訓練情報受信手段５９にて受信し、同時訓練管理情報ファイル２６へ書き込む。
【００４５】
次に、Ａ制御所１のトレーナがホスト役からサブ役となり、Ｃ制御所２０１の任意のトレーナがサブ役からホスト役を引継ぐ一例について説明する。図８は第３の実施の形態における各制御所のトレーナの参加スケジュールの一例を示すテーブルである。トレーナはＡ制御所１及びＣ制御所２０１のトレーナが同時訓練へ予め参加スケジュール時刻をトレーナ情報として設定しておくことで参加する。図８において、同時訓練開始時にはＡ制御所１のトレーナがホスト役でＣ制御所のトレーナがサブ役であり、開始から１時間３２分経過後にトレーナの引継ぎが発生しＡ制御所のトレーナはホスト役からサブ役へ、Ｃ制御所のトレーナはサブ役からホスト役へ引継ぎを行う一例を示している。
【００４６】
Ａ制御所１において同時訓練ホストサーバ引継ぎ手段８２は同時訓練管理情報ファイル２６のトレーナ参加予定の情報を読み込み、引継ぎ発生時刻であるかを確認する。同時訓練ホストサーバ引継ぎ手段８２は訓練管理手段５５を起動し、訓練管理情報ファイル２４から操作クライアント３−１のトレーナの参加情報をホスト役からサブ役とし、クライアント２０３−１のトレーナの参加情報をサブ役からホスト役へ変更する。また訓練管理手段５５は同時訓練管理手段５６を起動し、訓練管理情報ファイル２４のトレーナ情報を同時訓練管理情報ファイル２６へ書き込む。
【００４７】
なお、トレーナの入退室の引継ぎでは図７の同時進行訓練ファイルのホスト制御所情報を使用してトレーナがＡ制御所トレーナからＣ制御所トレーナへ引継ぎを行う。このトレーナの入替えにおいて、同時訓練にてトレーナから電話指令内容に対応するトレーニは、トレーナの接続連絡先アドレスに対して電話連絡をしているが、参加トレーナ情報の参加トレーナ連絡先アドレスなどの付帯情報も同時に引継がれる。
【００４８】
従って、第３の実施の形態によれば、任意の制御所または事務所のトレーニは同時訓練に対して自由に入退室することができ、最低１人以上のトレーナがいれば他のトレーナと同時訓練の全体管理を行うホスト役を引継ぐことができ、長時間で実施し同時訓練に参加するトレーナ及びトレーニの参加時間の一部に不都合がある場合や、一連の同時訓練を実施する中で訓練実施の一部において、トレーナやトレーニの時間的な参加制限の解消をすることができる。また、需給運用や系統運用など固有の運用に特化したスペシャリストなどに同時訓練の一部のトレーナを任せたり、トレーナのサブ役として参加させることができ、トレーニの訓練における評価の精度を高めることができるため、同時訓練の効果を向上することができる。
【００４９】
なお、この第３の実施の形態は、第２の実施の形態に適用した一例について説明したが、第１の実施の形態にも同様に適用できることは言うまでもない。
【図面の簡単な説明】
【００５０】
【図１】本発明の第１の実施の形態に係わる電力系統運用訓練シミュレータの構成図。
【図２】本発明の第１の実施の形態における訓練管理情報ファイルのファイル構成図。
【図３】本発明の第１の実施の形態における同時訓練管理情報ファイルのファイル構成図。
【図４】本発明の第１の実施の形態における系統情報送信手段によって情報伝送ネットワーク上へ同時訓練中に送信されるデータの伝送フォーマット例を示した構成図。
【図５】本発明の第２の実施の形態を示す電力系統運用訓練シミュレータの構成図。
【図６】本発明の第３の実施の形態を示す電力系統運用訓練シミュレータの構成図。
【図７】本発明の第３の実施の形態における同時訓練管理情報ファイルのファイル構成図。
【図８】本発明の第３の実施の形態における各制御所のトレーナの参加スケジュールの一例を示すテーブルの説明図。
【図９】従来の電力系統運用訓練シミュレータの一例を示す構成図。
【図１０】従来の電力系統運用訓練シミュレータの他の一例を示す構成図。
【符号の説明】
【００５１】
１、１０１、２０１…制御所、３０１…事務所、２、１０２、２０２…電力系統運用訓練サーバ、３−１〜３−ｎ、１０３−１〜１０３−ｎ、２０３−１〜２０３−ｎ、３０３−２…操作クライアント、４…情報伝送ネットワーク、２１、２１−１〜２１−３、１２１、１２１−１〜１２１−３、２２１、２２１−１〜２２１−３…設備データベース、２２、１２２、２２２…全系設備データベース、２３、１２３、２２３…電力系統状態ファイル、２４、１２４、２２４…訓練管理情報ファイル、２５、１２５、２２５…事故設定ファイル、２６、１２６、２２６…同時訓練管理情報ファイル、３１、１３１、２３１…同時訓練通知情報ファイル、３２…設備データベース（同時訓練用）、５１、１５１、２５１…設備ダウンラインローディング受信手段（設備ＤＬＬ受信手段）、５２、１５２、２５２…設備ダウンラインローディング送信手段（設備ＤＬＬ送信手段）、５３、１５３、２５３…全系設備データベース編集手段、５４、１５４、２５４…入出力処理手段、５５、１５５、２５５…訓練管理手段、５６、１５６、２５６…同時訓練管理手段、５７、１５７、２５７…訓練情報受信手段、５８、１５８、２５８…訓練情報送信手段、５９、１５９、２５９…同時訓練情報受信手段、６０、１６０、２６０…同時訓練情報送信手段、６１、１６１、２６１…電力系統模擬手段、６２、１６２、２６２…電力系統状態受信手段、６３、１６３、２６３…電力系統状態送信手段、７１、１７１、２７１…仮想クライアント接続手段、７２、１７２、２７２、３７２…クライアントリモート接続手段、７３、１７３、２７３…リモート接続手段、８１、１８１、２８１…トレーナ・トレーニ入退室管理手段、８２、１８２、２８２…同時訓練ホストサーバ引継ぎ手段、９１、１９１、２９１…隣接ＳＶ・ＴＭデータ受信手段、９２、１９２、２９２…隣接ＳＶ・ＴＭデータ送信手段、６１、１６１、２６１…電力系統模擬手段
【図１】
0005172274.tif 000002
【図２】
0005172274.tif 000003
【図３】
0005172274.tif 000004
【図４】
0005172274.tif 000005
【図５】
0005172274.tif 000006
【図６】
0005172274.tif 000007
【図７】
0005172274.tif 000008
【図８】
0005172274.tif 000009
【図９】
0005172274.tif 000010
【図１０】
0005172274.tif 000011